(57)【特許請求の範囲】
【請求項１】
円筒状本体と、円筒状本体の内部に可動に収納され、電力ケーブルに流れる交流電流により、上下・回転運動し、前記円筒状本体に振動と衝突音を発生させて、前記円筒状本体の外部に伝搬させる磁石とを備え、前記円筒状本体における前記磁石の収納部を前記電力ケーブルに近づけ、前記円筒状本体に振動または衝突音が発生したときに電力ケーブルが活線であると判断する事を特徴とするペン型通電感知器。
【請求項２】
円筒状本体の上部に孔が設けられている事を特徴とする請求項１に記載のペン型通電感知器。
【請求項３】
円筒状本体を縦長に配置したとき、円筒状本体の底部が中空円錐状または平面に形成されている事を特徴とする請求項１または２に記載のペン型通電感知器。
【請求項４】
円筒状本体を縦長に配置したとき、円筒状本体の下部にスリットが設けられている事を特徴とする請求項１乃至３のいずれか一項に記載のペン型通電感知器。
【請求項５】
磁石が、円柱状または立方体状に形成されている事を特徴とする請求項１乃至４のいずれか一項に記載のペン型通電感知器。
【請求項６】
磁石の中央に孔が設けられている事を特徴とする請求項１乃至５のいずれか一項に記載のペン型通電感知器。
【請求項７】
円筒状本体を縦長に配置したとき、円筒状本体の上部に把持部となるクリップ部が設けられ、孔またはスリットがクリップ部以外の位置に設けられている事を特徴とする請求項１乃至６のいずれか一項に記載のペン型通電感知器。
【発明の詳細な説明】
【技術分野】
【０００１】
本発明は、電力ケーブルの通電状態を、目視に加え振動や音を介して、簡単に確認できるペン型通電感知器に関するものである。
【背景技術】
【０００２】
電力ケーブルの通電状況を測定する際には、例えば、図９に示すクランプテスタ１００、クランプメーター２００、電力ケーブル検電器３００等が使用されている。
【０００３】
クランプテスタ１００（図９（Ａ））は、クランプする（挟み込む）だけで、電源を止めたり、配線を切断したりすることなく、通電状態のままで電流を測定することができるものである。
【０００４】
また、クランプメーター２００（図９（Ｂ））は、電流による磁界を測ることによって、電気回路を開くことなく電流を測定できる環状の検知部を有するものである。
【０００５】
更に、電力ケーブル検電器３００（図９（Ｃ））は、一般的には、特殊信号を発生する信号電流発信機とセンサーおよび信号電流受信機３００で構成されている。
【０００６】
これらのクランプテスタ１００（図９（Ａ））、クランプメーター２００（図８（Ｂ））、電力ケーブル検電器３００（図９（Ｃ））は、いずれも電源を必要とする装置として使用されている。
【０００７】
しかし、外形１５０ｍｍ以上の電力ケーブルに流れる、数百アンペアの交流電流を感知するためのクランプテスタやクランプメーターは、存在していなかった。
【０００８】
また、特許文献１に示すように、電源を必要としない装置も提案されている。この特許文献１は、図１０（Ａ）及び（Ｂ）に示すように、内部が細隙の中空になった透明なガラス又はプラスチックの容器と、中空部に少量封入された磁粉４００ａとを備えた活線表示器４００であって、容器は、Ｕ字状または半円状で、電力ケーブルの外側に、例えば、ポリエチレン製などの非磁性体の紐状の固定具（タイバンド）で取り付けられることを開示している。
【先行技術文献】
【特許文献】
【０００９】
【特許文献１】特開２０１４−３８３１号公報
【発明の概要】
【発明が解決しようとする課題】
【００１０】
しかし、上記した電源を必要とする装置では、電池切れの場合、装置として使用できないという問題があった。
【００１１】
また、外形１５０ｍｍ以上の電力ケーブルに流れる交流大電流に対しては、使用できないという問題もあった、
【００１２】
この他、特許文献１に開示された活線表示器は、目視でのみ通電状態を確認可能なため、使用できる個所が限られてしまうという問題があった。
【００１３】
更に、いずれの装置も、作業員が常時携帯可能な大きさではないという問題があった。
【００１４】
そこで、本発明は、電源を用いることなく、交流大電流に使用可能であり、電力ケーブルの通電状態を、目視や振動や音を介して、簡単に確認できるペン型通電感知器を提供することを目的とする。
【課題を解決するための手段】
【００１５】
上記課題を解決するために、請求項１に記載のペン型通電感知器に係る発明は、例えば、図２，図３に示すように、円筒状本体と、円筒状本体の内部に可動に収納され、電力ケーブルに流れる交流電流により、上下・回転運動し、前記円筒状本体に振動と衝突音を発生させて、前記円筒状本体の外部に伝搬させる磁石とを備え、前記円筒状本体における前記磁石の収納部を前記電力ケーブルに近づけ、前記円筒状本体に振動または衝突音が発生したときに電力ケーブルが活線であると判断する事を特徴とする。
【００１６】
請求項１に記載のペン型通電感知器に係る発明によれば、円筒状本体と、円筒状本体の内部に可動に収納された磁石とを備えているので、交流大電流が流れる電力ケーブルにペン型通電感知器を近づけると、円筒状本体内部で磁石が上下運動または回転運動して円筒状本体と衝突し、円筒状本体に振動と衝突音を発生させて、円筒状本体の外部に伝搬させることで、電力ケーブルが活線であると判断できる。
【００１７】
請求項２に記載のペン型通電感知器に係る発明は、例えば、図２，図３，図７，図８に示すように、円筒状本体に孔が設けられている事を特徴とする。
【００１８】
請求項２に記載のペン型通電感知器に係る発明によれば、円筒状本体に孔が設けられているので、円筒状本体内部で磁石が上下運動または回転運動して円筒状本体と衝突して発生する衝突音を、円筒状本体の外部に、より明確に伝搬させることができる。
【００１９】
また、円筒状本体の上部に孔が設けられているので、作業員が円筒状本体を手に持ったときに、この孔を塞ぐことがなく、振動音を筒状本体の外部に確実に伝搬させることができる。
【００２０】
請求項３に記載のペン型通電感知器に係る発明は、例えば、図２，図３，図４に示すように、円筒状本体を縦長に配置したとき、円筒状本体の底部が平面または中空円錐状に形成されている事を特徴とする。
【００２１】
請求項２に記載のペン型通電感知器に係る発明によれば、円筒状本体を縦長に配置したとき、円筒状本体の底部が中空円錐状に形成されているので、磁石が円筒状本体の中空円錐状部で滑らかに回転し、この磁石の回転による振動や衝突音が、より発生し易くなる。
【００２２】
また、円筒状本体を縦長に配置したとき、円筒状本体の底部が平面に形成されているので、磁石を電力ケーブルに近づけることが可能となる。そのため、磁石は、磁界の変動を強く受けて、特に上下運動が起こり易くなり、この磁石の上下運動に伴う振動や衝突音が発生し易くなる。
【００２３】
請求項４に記載のペン型通電感知器に係る発明は、例えば、図７，図８に示すように、円筒状本体を縦長に配置したとき、円筒状本体の下部にスリットが設けられている事を特徴とする。
【００２４】
請求項４に記載のペン型通電感知器に係る発明によれば、円筒状本体を縦長に配置したとき、円筒状本体の下部にスリットを備えているので、円筒状本体の下部から外部に音を伝搬させると共に、円筒状本体を振動させて、暗い場所でも作業員に通電状態を確実に知らせることができる。
【００２５】
請求項５に記載のペン型通電感知器に係る発明は、例えば、図６（Ａ）乃至（Ｄ）に示すように、磁石が、円柱状または立方体状に形成されている事を特徴とする。
【００２６】
請求項５に記載のペン型通電感知器に係る発明によれば、磁石が、円柱状または立方体状に形成されていることにより、円筒状本体内部で磁石が回転し易くなり、振動や衝突音が発生し易くなる。
【００２７】
請求項６に記載のペン型通電感知器に係る発明は、例えば、図６（Ｂ），（Ｃ），（Ｅ）に示すように、磁石の中央に孔が設けられている事を特徴とする。
【００２８】
請求項６に記載のペン型通電感知器に係る発明によれば、磁石の中央に孔が設けられているので、磁石を軽量化でき、回転しながらの上下運動がし易くなる。
【００２９】
請求項７に記載のペン型通電感知器に係る発明は、例えば、図２，図３，図７，図８に示すように、円筒状本体を縦長に配置したとき、円筒状本体の上部に把持部となるクリップ部が設けられ、孔またはスリットがクリップ部以外の位置に設けられている事を特徴とする。
【００３０】
請求項７に記載のペン型通電感知器に係る発明によれば、円筒状本体を縦長に配置したとき、円筒状本体の上部に把持部となるクリップ部が設けられ、孔またはスリットがクリップ部以外の位置に設けられているので、作業員が円筒状本体を持ち易くなると共に、孔またはスリットを塞ぐことがない形状とすることができる。
【発明の効果】
【００３１】
本発明によれば、電源を用いることなく、交流大電流に使用可能であり、電力ケーブルの通電状態を、目視に加え振動や音を介して、簡単に確認できるペン型通電感知器を提供することできる。
【図面の簡単な説明】
【００３２】
【図１】本発明に係るペン型通電感知器を使用する、電力ケーブル配線の一例を示す図である。
【図２】本発明に係るペン型通電感知器の一例を示す図であり、一端が中空円錐状に形成されている例を示す図である。
【図３】本発明に係るペン型通電感知器の一例を示す図であり、一端が平面に形成されている例を示す図である。
【図４】本発明に係るペン型通電感知器を、電力ケーブルに対して、縦方向に配置したときに、磁石の移動方向を示す図である。
【図５】本発明に係るペン型通電感知器を、電力ケーブルに対して、水平方向に配置したときに、磁石の移動方向を示す図である。
【図６】本発明に係るペン型通電感知器の磁石を示し、（Ａ）は円柱状の磁石を示し、（Ｂ）は中央にテーパー状の孔が設けられているコイン型磁石を示し、（Ｃ）はドーナツ型の磁石を示し、（Ｄ）はサイコロ型の立方体状の磁石を示し、（Ｅ）は中央にテーパー状の孔が設けられている立方体状の磁石を示す図である。
【図７】本発明に係るペン型通電感知器の他の一例を示す図であり、一端が中空円錐状に形成され、スリットが設けられている例を示す図である。
【図８】本発明に係るペン型通電感知器の他の一例を示す図であり、一端が平面に形成され、スリットが設けられている例を示す図である。
【図９】（Ａ）は従来のクランプテスタを示し、（Ｂ）は従来のクランプメーターを示し、（Ｃ）は従来の電力ケーブル検電器を示す図である。
【図１０】（Ａ）および（Ｂ）は、従来の活線表示器の構成を示す図である。
【発明を実施するための形態】
【００３３】
以下に、図面を参照して、本発明の一実施の形態について説明する。
【００３４】
＜実施の形態１＞
図２，図４は、本発明に係るペン型通電感知器の一実施の形態を示している。
【００３５】
図２、図４に示す本発明に係るペン型通電感知器１は、円筒状本体３と、円筒状本体３の内部に可動に収納された円柱状の磁石５とを備えている。
【００３６】
また、円筒状本体３の上部に、孔７が設けられている。そして、円筒状本体３を縦長に配置したとき、円筒状本体３の底部が中空円錐状に形成され、中空円錐状内部に磁石５が位置し、円筒状本体３の上部に把持部となるクリップ部９が設けられている。
【００３７】
クリップ部９を設けることにより、通電状態を確認する際に、ペン型通電感知器１が持ち易くなり、携帯時には上着のポケットにクリップ部９を引っ掛けることができる。
【００３８】
また、ペン型通電感知器１は、市販のポールペンと同じ位の大きさで、６ｇ程度の重さであり、作業員が常時携帯可能となる。例えば、図８（Ｃ）に示す従来の電力ケーブル検電器は、約１．９ｋｇであるのに比べ、大幅な軽量化に成功した。
【００３９】
円筒状本体３は、透明または半透明のプラスチックにより形成されている。また、磁石５は、直径４ｍｍ〜６ｍｍの小型で、強力なネオジム磁石が使用されている。円筒状本体３を、透明または半透明のプラスチックにより形成することにより、磁石５の運動を視覚で確認することに加え、振動や衝突音を介して、電力ケーブルが活線であることを判断できる。
【００４０】
図１は、変電所構内の洞道内の交流大電流が流れる電力ケーブルの配線の一例を示している。図１には、俵積の電力ケーブル１１、相ばらしの電力ケーブル１３、トリプレックスの電力ケーブル１５等が配線されている。これらの電力ケーブルは、銅線１７、アルミ１９、鋼材２１などで固定されている。
【００４１】
そして、図４に示すように、作業員がクリップ部９を親指と人差し指でつまんで持ち、各電力ケーブルに、ペン型通電感知器１を近づけるだけで、交流大電流により、磁石５が上下・回転運動をし、振動や衝突音で電力ケーブルが活線であることを判断できる。
【００４２】
また、作業員がクリップ部９を親指と人差し指でつまんで持つことにより、振動が作業員の指に、より伝わり易くなる。
【００４３】
図４に示す状態では、電力ケーブル１１に対して、円筒状本体３は縦方向に配置されるが、これに限定されず、図５に示すように、電力ケーブル１１に対して、円筒状本体３を水平方向に配置しても良い。このように、電力ケーブル１１に対して、円筒状本体３を水平方向に配置することにより、例えば、狭い隙間部分において、作業員が手を伸ばした状態での使用が可能となる。
【００４４】
尚、電力ケーブル１１等が通電していない状態においては、磁石５が上下・回転運動をしない。
【００４５】
ペン型通電感知器１は、磁石５の機能低下が基本的にないため、メンテナンス不要である。
【００４６】
＜実施の形態２＞
図３は、本発明に係るペン型通電感知器の他の実施の形態を示している。
【００４７】
図３に示す本発明に係るペン型通電感知器１ａは、円筒状本体３ａと、円筒状本体３aの内部に可動に収納された円柱状の磁石５とを備え、円筒状本体３aの上部に孔７aが設けられている。
【００４８】
そして、円筒状本体３aを縦長に配置したとき、円筒状本体３aの底部が平面に形成され、平面上に磁石５が位置し、円筒状本体３aの上部に把持部となるクリップ部９aが設けられている。
【００４９】
クリップ部９aを設けることにより、通電状態を確認する際に、ペン型通電感知器１aが持ち易くなり、携帯時には上着のポケットにクリップ部９aを引っ掛けることができる。
【００５０】
＜変形例１＞
上記実施の形態においては、円筒状本体３，３ａの上部に、孔７，７ａが設けられている例について説明した。
【００５１】
しかし、これに限られず、図６及び図７に示すように、円筒状本体３，３ａを縦長に配置したとき、円筒状本体３，３ａの下部にスリット２３を設けても良い。また、スリット２３は、把持部であるクリップ部９以外の個所に設ける。
【００５２】
下部にスリット２３を設けることにより、外部に音が伝搬し易くなり、且つ、円筒状本体３の下部の振動が大きくなり、通電状態を、目視に加え衝突音と振動で作業員に伝えることができる。
【００５３】
＜変形例２＞
上記実施の形態においては、円筒状本体３を縦長に配置したとき、円筒状本体３の底部が中空円錐状に形成されている例について説明した。
【００５４】
しかし、これに限られず、図３に示すように、円筒状本体３を縦長に配置したとき、円筒状本体３の底部が平面に形成されていても良い。
【００５５】
円筒状本体３の底部を平面に形成することにより、磁石５を電力ケーブルに近づけることが可能となる。そのため、磁石５は、磁界の変動を強く受けて、特に磁石５の上下運動が起こり易くなって、その上下運動に伴う振動や衝突音が発生し易くなる。
【００５６】
＜変形例３＞
上記実施の形態においては、図６（Ａ）に示すような円柱状の磁石５について説明した。
【００５７】
しかし、これに限られず、図６（Ｂ）に示すように、円柱状磁石の中央にテーパー状の孔が設けられているコイン型磁石であっても良い。また、図６（Ｃ）に示すように、円柱状磁石の中央に孔が設けられているドーナツ型の磁石であっても良い。更に、図６（Ｄ）に示すように、サイコロ型の立方体状の磁石であっても良い。また、図６（Ｅ）に示すように、中央にテーパー状の孔が設けられている立方体状の磁石であっても良い。
【００５８】
このように、円柱状または立方体状の磁石を用いることにより、磁界の変動による上下・回転運動が起こり易くなり、この上下・回転運動に伴う振動や衝突音が発生し易くなる。
【００５９】
特に、図６（Ｂ）に示すようなコイン型磁石や図６（Ｃ）に示すようなドーナツ型の磁石は軽量化されているため、上下・回転運動が活発になり、振動や衝突音がより発生し易くなり、且つ、上下運動の大きさを目視することで、電力の大きさも把握がし易くなる。
【００６０】
＜変形例４＞
上記実施の形態においては、ネオジム磁石について説明した。
【００６１】
しかし、これに限られず、ネオジム磁石と同等の磁力を有する磁石であっても良い。
【００６２】
ネオジム磁石と同等の磁力を有する磁石であれば、円筒状本体３内部で磁石５が上下運動または回転運動して円筒状本体３と衝突して振動を発生させ、円筒状本体３に設けられた孔７またはスリット２３から、円筒状本体３と磁石５の衝突音を円筒状本体３の外部に伝搬させることができる。
【符号の説明】
【００６３】
１  ペン型通電感知器
３  円筒状本体
５  磁石
７  孔
９  クリップ部
１１  俵積の電力ケーブル
１３  相ばらしの電力ケーブル
１５  トリプレックスの電力ケーブル
１７  銅線
１９  アルミ
２１  鋼材
２３  スリット
１００  クランプテスタ
２００  クランプメーター
３００  電力ケーブル検電器
４００  活線表示器
４００ａ  磁粉
【図１】
0006558028.tif 000002
【図２】
0006558028.tif 000003
【図３】
0006558028.tif 000004
【図４】
0006558028.tif 000005
【図５】
0006558028.tif 000006
【図６】
0006558028.tif 000007
【図７】
0006558028.tif 000008
【図８】
0006558028.tif 000009
【図９】
0006558028.tif 000010
【図１０】
0006558028.tif 000011